(57)【要約】
【課題】　食品や医薬品工場の、特に雑菌の繁殖を防止して、清浄状態を維持したい作業場所の床材を、清浄な状態を維持し、滑りにくく、且つ、機械的に丈夫な床材とする。
【解決手段】　床板材料として、例えば、ステンレス板に約６０ｍｍの間隔で、高さが約１０ｍｍ程度の適切な形状のディンプル３を配置することによって、床の掃除は容易となり、靴１の底は、作業員自身の自重によって凸凹となり、その凸凹によって滑りにくくなる床板材料。
【選択図】　図２
0003100386.tif 000002
【実用新案登録請求の範囲】
【請求項１】
　食品や医薬品工場の、特に雑菌の繁殖を防止して、清浄状態を維持したい作業場所の床に、清浄な状態を維持し、滑りにくく、且つ、機械的に丈夫な床材として、適切な間隔で、適切な形状のディンプルを配置した床板材料。
【請求項２】
　床板の材料としては、ステンレス板材料に限らず、その他の合金板材を含む。
【考案の詳細な説明】
【考案の詳細な説明】
【考案が解決しようとする課題】
【０００１】　食品や医薬品工場の、特に雑菌の繁殖を防止して、清浄状態を維持したい作業場所の床に、従来から、色々な種類の耐アルカリ・耐酸のコーティング材料を用いたり、ステンレス・チェッカープレートが使われたりしているが、前者は、使用中に割れたりヒビが入ったり等で寿命が短く、また、後者には滑り易いあるいは掃除がしにくいなどの問題点を有している。
【課題を解決するための手段】
【０００２】　従来のチェッカー・プレートあるいはディンプル・プレートは、図１に示すように、突き出た部分２の高さが少なく、また、その間隔も比較的狭いために、その上を歩く作業員の靴１の底は平らのままとなり、その結果として、滑り易い、あるいは掃除がしにくいと言う状況にある。
　これに対して、本考案は、これらの問題点を解消するために、例えば、ステンレス板４に、適切な間隔で、適切な形状のディンプル３を図４に示すように配置したものである。そのディンプルの形状の詳細は図３に示すように、根元は湾曲ｒしているので、ごみや腐敗物などが、溜りにくく、容易に清掃が可能である。また、その頂上部Ｔは、丸みを持ちながらも高さが約１０ｍｍほど、突き出ていて、更に、各ディンプルは、約６０ｍｍの間隔で配置されているので、図２に示すように、靴１の底は、作業員自身の自重によって、凸凹となり、靴１の滑り止めとして十分な機能を期待することができる。本考案のディンプルの頂上部の形状は、丸みを持たせながらもその程度は、楕円形あるいは真半円形などの色々な形状があり、また、配列は、図４に示すような直列並行配列ばかりでなく、千鳥配列などとすることもできる。
【考案の効果】
【０００３】　本考案によって、主として次に掲げるような特長を有する床材料を実現することができる。
・滑りにくい。
・清浄度を保てる。ヒビ、割れなどが生じない。床掃除が容易。
・機械的強度が大きく耐久性が大きい。寿命は半永久的。
・床の施工が比較的容易。前処理不要。部分的な施工が可能。いつでも施工できる。施工後の養生期間が不要なので、直ぐに使える。
・床上の設備の配置変えは自由で、床の損傷はあまり気にしなくても良い、など。
【図面の簡単な説明】
【図１】　従来のチェッカー・プレートまたはディンプル・プレートなどと作業員の靴との関係の一例を示す側面図である。
【図２】　本考案に基づくディンプル・プレートと作業員の靴との関係の一例を示す側面図である。
【図３】　本考案に基づくディンプルの形状の詳細の一例を示す側面図である。
【図４】　本発明に基づくディンプル・プレートのディンプルの配置の一例を示す平面図である。
【符号の説明】
１　作業員の靴
２　従来のチェッカー・プレートまたはディンプル・プレート
３　本考案に基づくディンプル・プレート
ｒ　本考案に基づくディンプルの湾曲した底部
Ｔ　本考案に基づくディンプルの頂上部
４　本考案に基づくディンプル・プレート
【図１】
0003100386.tif 000003
【図２】
0003100386.tif 000004
【図３】
0003100386.tif 000005
【図４】
0003100386.tif 000006
【手続補正書】
【提出日】平成15年10月9日(2003.10.9)
【手続補正１】
【補正対象書類名】実用新案登録請求の範囲
【補正対象項目名】全文
【補正方法】変更
【補正の内容】
【実用新案登録請求の範囲】
【請求項１】
　食品や医薬品工場の、特に雑菌の繁殖を防止して、清浄状態を維持したい作業場所の床に、清浄な状態を維持する為の清掃が容易で、作業員の歩行の際に滑りにくく、且つ、機械的に丈夫な床板として、根元が大きく湾曲し適切な形状を有する多数の突起を適切な間隔で配列した突起付き床板。
【請求項２】
　前記の突起付き床板は、ステンレス板材に限らず、その他の合金板材、あるいは、合成樹脂板材の何れからなることを特徴とする請求項１記載の床板。
【手続補正２】
【補正対象書類名】明細書
【補正対象項目名】全文
【補正方法】変更
【補正の内容】
【考案の詳細な説明】
【技術分野】
【０００１】　本考案は、根元が大きく湾曲し適切な形状を有する多数の突起を適切な間隔で配列した突起付き床板に関するものである。
【背景技術】
【０００２】　食品や医薬品工場の、特に雑菌の繁殖を防止して、清浄状態を維持したい作業場所の従来の床板は、清浄な状態を維持する為の清掃がしにくい、作業員の歩行の際に滑り易い、機械的にあるいは化学的に弱い、などの問題がある。【０００３】　本考案は、多数の突起を適切な間隔で配列した突起付き床板によって、これらの問題を解消しようとするものである。
【考案の開示】
【考案が解決しようとする課題】
【０００４】　食品や医薬品工場の、特に雑菌の繁殖を防止して、清浄状態を維持したい作業場所の床板には、従来から、色々な種類の耐アルカリ・耐酸のコーティング材料を用いたり、ステンレス製チェッカー・プレートが使われたりしているが、前者は、使用中に割れたりヒビが入ったり等で寿命が短く、また、後者には滑り易いあるいは掃除がしにくいなどの課題を有している。
【課題を解決するための手段】
【０００５】　従来のチェッカー・プレートあるいはエンボス・プレートは、図１に示すように、突き出た部分２の高さが少なく、また、その間隔も比較的狭いために、その上を歩く作業員の靴１の底は平らのままとなり、その結果として、滑り易く、また、その突き出た部分の根元が鋭角のため、掃除がしにくいと言う状況にある。
　これに対して、本考案は、これらの問題点を解消するために、例えば、ステンレス板４に、適切な間隔で、適切な形状の突起３を図４に示すように配置したものである。その突起の形状の詳細は図３に示すように、根元は大きく湾曲（ｒ＝２〜５ｍｍ）しているので、ごみや腐敗物などが、溜りにくく、また、容易に清掃が可能である。更に、その頂上部Ｔは、丸みを持ちながらも床板平面部より高さが約１０ｍｍほど、突き出ていて、更に、各突起は、約６０ｍｍの間隔で配列されているので、図２に示すように、靴１の底は、作業員自身の自重によって、凸凹となり、靴１の滑り止めとして十分な機能を期待することができる。本考案の突起の頂上部の形状は、丸みを持たせながらもその程度は、楕円形あるいは真半円形などの色々な形状とすることができ、また、配列は、図４に示すような直列並行配列ばかりでなく、千鳥配列などとすることもできる。
【考案の効果】
【０００６】　本考案によって、主として次に掲げるような特長を有する床板を実現することができる。
　・滑りにくい。
　・清浄度を保てる。ヒビ、割れなどが生じない。床掃除が容易。
　・機械的強度が大きく耐久性が大きい。寿命は半永久的。
　・床の施工が比較的容易。前処理不要。部分的な施工が可能。いつでも施工できる。
　　施工後の養生期間が不要なので、直ぐに使える。
　・床上に配置した設備は、床板材自身の機械的強度によっては床板そのものを損傷する　　ことなく、自由に変更することができる、など。
【図面の簡単な説明】
【０００７】
【図１】　従来のチェッカー・プレートまたはエンボス・プレートなどの床板と作業員の靴との関係の一例を示す側面図である。
【図２】　本考案に基づく床板と作業員の靴との関係の一例を示す側面図である。
【図３】　本考案に基づく突起の形状の詳細の一例を示す側面図である。
【図４】　本考案に基づく床板の突起の配置の一例を示す平面図である。
【符号の説明】
【０００８】　１　作業員の靴
　２　従来のチェッカー・プレートまたはエンボス・プレート
　３　本考案に基づく床板
　ｒ　本考案に基づく床板の突起の湾曲した底部
　Ｔ　本考案に基づく床板の突起の頂上部
　４　本考案に基づく床板の突起の配列の例